(57)【特許請求の範囲】
【請求項１】
定期券識別情報と定期券発行時間情報とを記録した定期券を発行するとともに、これら定期券識別情報及び定期券発行時間情報を含む発行履歴情報を記憶する発行処理手段と、
廃札指示入力を受け付ける入力受付手段と、
廃札対象の定期券に記録された定期券識別情報及び定期券発行時間情報を読み取る読取手段と、
前記入力受付手段による廃札指示入力の受け付け及び前記読取手段による前記廃札対象の定期券からの定期券識別情報及び定期券発行時間情報の読み取りに基づき、前記廃札対象の定期券から読み取られた定期券識別情報及び定期券発行時間情報を含む発行履歴情報を前記発行処理手段に記憶された情報の中から検索し、前記廃札対象の定期券から読み取られた定期券識別情報及び定期券発行時間情報を含む発行履歴情報を前記発行処理手段に記憶された情報の中から削除し、前記廃札対象の定期券を廃札する廃札手段と、
を備えた定期券処理装置。
【請求項２】
前記発行処理手段は、定期券識別情報と定期券発行時間情報に加えて、定期券処理装置の号機識別情報を記録した定期券を発行するとともに、これら定期券識別情報と定期券発行時間情報に加えて、号機識別情報を含む発行履歴情報を記憶し、
前記読取手段は、前記廃札対象の定期券に記録された定期券識別情報と定期券発行時間情報に加えて、前記廃札対象の定期券に記録された号機識別情報を読み取り、
前記廃札手段は、前記廃札対象の定期券から読み取られた定期券識別情報、定期券発行時間情報、及び号機識別情報を含む発行履歴情報を前記発行処理手段に記憶された情報の中から検索し、前記廃札対象の定期券から読み取られた定期券識別情報、定期券発行時間情報、及び号機識別情報を含む発行履歴情報を前記発行処理手段に記憶された情報の中から削除し、前記廃札対象の定期券を廃札することを特徴とする請求項１に記載の定期券処理装置。
【請求項３】
前記定期券識別情報は、異なる定期券に対して重複して付与される可能性のある情報であることを特徴とする請求項１に記載の定期券処理装置。
【請求項４】
定期券識別情報と定期券発行時間情報とを記録した定期券を発行するとともに、この発行された定期券に記録された定期券識別情報及び定期券発行時間情報を含む発行履歴情報を記憶し、
廃札指示入力を受け付けるとともに、廃札対象の定期券に記録された定期券識別情報及び定期券発行時間情報を読み取り、
前記廃札指示入力の受け付け及び前記廃札対象の定期券からの定期券識別情報及び定期券発行時間情報の読み取りに基づき、前記廃札対象の定期券から読み取られた定期券識別情報及び定期券発行時間情報を含む発行履歴情報を前記記憶された情報の中から検索し、前記廃札対象の定期券から読み取られた定期券識別情報及び定期券発行時間情報を含む発行履歴情報を前記記憶された情報の中から削除し、前記廃札対象の定期券を廃札する定期券処理方法。
【請求項５】
定期券識別情報と定期券発行時間情報に加えて、定期券処理装置の号機識別情報を記録した定期券を発行するとともに、定期券識別情報と定期券発行時間情報に加えて、号機識別情報を含む発行履歴情報を記憶し、
前記廃札対象の定期券に記録された定期券識別情報と定期券発行時間情報に加えて、前記廃札対象の定期券に記録された号機識別情報を読み取り、
前記廃札対象の定期券から読み取られた定期券識別情報、定期券発行時間情報、及び号機識別情報を含む発行履歴情報を前記記憶された情報の中から検索し、前記廃札対象の定期券から読み取られた定期券識別情報、定期券発行時間情報、及び号機識別情報を含む発行履歴情報を前記記憶された情報の中から削除し、前記廃札対象の定期券を廃札することを特徴とする請求項４に記載の定期券処理方法。
【請求項６】
前記定期券識別情報は、異なる定期券に対して重複して付与される可能性のある情報であることを特徴とする請求項４に記載の定期券処理方法。
【発明の詳細な説明】
【技術分野】
【０００１】
本発明は、鉄道などの交通機関で流通する定期券処理技術に関する。
【背景技術】
【０００２】
例えば、交通機関で用いられる定期券をそれぞれ印刷発行する複数台の定期券発行機が同一発売所内に設置されている定期券発行システムが提案されている（特許文献１参照）
上記定期券発行機では、１台ずつ制御部を設け、個別に発行した定期券の発売データを磁気ディスク等のメモリに保持している。この発売データは、発行後に生ずる廃券業務時に、突き合わせによるチェックを行い、確かに該当号機の定期券発行機で発券したものかを確認している。これは、発売していないにも関わらず、廃券業務を可能とすると発売金額にマイナスが生じることからである。
【特許文献１】特開平７−１５２８３１
【発明の開示】
【発明が解決しようとする課題】
【０００３】
上記した廃券業務のために、定期券発行機には廃札と呼ばれる機能がある。廃札とは、発行した定期券の内容に間違いがあった場合に使われる機能で、券番号をキーに定期券発行時に記録した情報を呼び出し、削除するものである。
【０００４】
券番号は、定期券発行機で定期券を発行した場合に発番され、例えば、次の仕様になっている。
【０００５】
・数字4〜5桁
・サイクリックに使用
しかしながら、廃札するデータを呼び出す検索キー（券番号）が必ずしもユニークではなく、そのため次のケースでは誤ったデータを削除してしまうことがある。
【０００６】
（１）定期券発行機Ａで定期券Ａを発行する。定期券Ａには券番号0001が付与される。
【０００７】
（２）定期券発行機Ａが諸事情により定期券発行機Ｂにリプレース（機械交換）される。このとき、作業効率の観点から券番号は引き継がれない。
【０００８】
（３）定期券発行機Ｂで定期券Ｂを発行する。定期券Ｂには券番号0001が付与される。
【０００９】
（４）業務終了後の事務処理で、定期券発行機Ａにより発行された定期券Ａ（券番号0001）に間違いを発見する。
【００１０】
（５）定期券発行機Ａは既に退けられており、リプレースされた定期券発行機Ｂにより券番号0001に基づく廃札処理が実行される。即ち、オペレータは間違いのある定期券Ａを定期券発行機Ｂに挿入し、定期券Ａの券番号0001をキーにして定期券情報を検索する。この検索操作に対応して、定期券発行機Ｂは、券番号0001に対応する定期券Ｂの情報を表示してしまう。定期券発行機Ｂは既に定期券Ａを筐体内に収納しており、検索結果（定期券Ｂの情報）が表示された安心感から、オペレータは、ついうっかり間違って廃札処理を進めてしまう。結果的に、本来削除したい定期券Ａの情報ではなく、定期券Ｂの情報が削除されてしまう。
【００１１】
本発明の目的は、異なる定期券に対して重複して付与される可能性のある定期券識別情報を利用した定期券発行処理における確実な廃札処理技術を提供することにある。
【課題を解決するための手段】
【００１２】
この発明の一実施の形態に係る定期券処理装置は、定期券識別情報と定期券発行時間情報とを記録した定期券を発行するとともに、これら定期券識別情報及び定期券発行時間情報を含む発行履歴情報を記憶する発行処理手段と、廃札指示入力を受け付ける入力受付手段と、廃札対象の定期券に記録された定期券識別情報及び定期券発行時間情報を読み取る読取手段と、前記入力受付手段による廃札指示入力の受け付け及び前記読取手段による前記廃札対象の定期券からの定期券識別情報及び定期券発行時間情報の読み取りに基づき、前記廃札対象の定期券から読み取られた定期券識別情報及び定期券発行時間情報を含む発行履歴情報を前記発行処理手段に記憶された情報の中から検索し、前記廃札対象の定期券から読み取られた定期券識別情報及び定期券発行時間情報を含む発行履歴情報を前記発行処理手段に記憶された情報の中から削除し、前記廃札対象の定期券を廃札する廃札手段と、を備える。
【００１３】
この発明の一実施の形態に係る定期券処理方法は、定期券識別情報と定期券発行時間情報とを記録した定期券を発行するとともに、この発行された定期券に記録された定期券識別情報及び定期券発行時間情報を含む発行履歴情報を記憶し、廃札指示入力を受け付けるとともに、廃札対象の定期券に記録された定期券識別情報及び定期券発行時間情報を読み取り、前記廃札指示入力の受け付け及び前記廃札対象の定期券からの定期券識別情報及び定期券発行時間情報の読み取りに基づき、前記廃札対象の定期券から読み取られた定期券識別情報及び定期券発行時間情報を含む発行履歴情報を前記記憶された情報の中から検索し、前記廃札対象の定期券から読み取られた定期券識別情報及び定期券発行時間情報を含む発行履歴情報を前記記憶された情報の中から削除し、前記廃札対象の定期券を廃札する。
【発明の効果】
【００１４】
本発明によれば、異なる定期券に対して重複して付与される可能性のある定期券識別情報を利用した定期券発行処理における確実な廃札処理技術を提供できる。
【発明を実施するための最良の形態】
【００１５】
以下、図面を参照し、本発明の実施形態について説明する。
【００１６】
図１は、本発明の一実施形態に係る定期券発行装置（定期券処理装置）の外観図である。図２は、図１に示す定期券発行装置の概略構成を示すブロック図である。
【００１７】
図１及び図２に示すように、定期券発行装置は、係員用ＬＣＤ部１１、客用表示機１２、発券装置１３、ＬＣＤタッチパネル１４ａ及び１４ｂ、レシートプリンタ１５、ＩＣ発券装置１６、ジャーナルプリンタ１７、申込用紙読取装置１８、操作盤１９、制御コンピュータ２０、電源制御版２１、画像処理装置２３、発券用インターフェース２４、ＦＤドライブ２５、及び通信制御ボード２６を備えている。
【００１８】
係員用ＬＣＤ部１１は、係員が入力した項目（定期券利用区間情報、個人情報など）を表示する。客用表示機１２は、客用に購入金額を表示する。発券装置１３は、磁気券（磁気定期券等含む）を発券する。ＬＣＤタッチパネル１４ａ及び１４ｂは、係員による必須項目（定期券利用区間情報、個人情報など）の入力を受け付ける。レシートプリンタ１５は、レシートを出力する。ＩＣ発券装置１６は、ＩＣカード（ＩＣ定期含む）を発券する。ジャーナルプリンタ１７は、ジャーナルを出力する。申込用紙読取装置１８は、客が記入した申込用紙を読み取る。操作盤１９は、係員の必須項目（定期券利用区間情報、個人情報など）の入力を受け付ける。制御コンピュータ２０は、定期券発行装置の全体を制御する。電源制御版２１は、電源を制御する。画像処理装置２３は、申込用紙読取装置１８で読み込んだ画像を処理する。発券用インターフェース２４は、発券装置１３とＩＣ発券装置１６と制御コンピュータ２０とを接続するためのインターフェースである。
【００１９】
上記説明した定期券発行装置は、券番号（定期券識別情報）だけを検索キーとするのではなく、ユニークな検索キーで、廃札対象のデータを呼び出す。これにより、異なる定期券に対して重複して付与される可能性のある定期券識別情報を利用した定期券発行処理における確実な廃札処理が可能となる。
【００２０】
最初に、定期券の発行処理について説明する。定期券発行装置（図1参照）の電源が投入されてから、以下の手順で定期券の発行処理が実行される。
【００２１】
ＬＣＤタッチパネル１４ａ及び１４ｂは初期画面（図５参照）を表示する。オペレータは、定期券発行装置の操作盤１９とＬＣＤタッチパネル１４ａ及び１４ｂから、券面印字に必要な項目（定期有効区間、経由駅、氏名、年令、定期有効期間、性別、割引設定（一般／介護／障害者など）、使用理由（通勤／通学）、大人／小児、定期使用月数）を入力する。この入力操作に対応して、係員用ＬＣＤ部１１は、入力された情報を表示する。
【００２２】
続いて、ＩＣ発券装置１６は、ＩＣカード格納庫に格納されたＩＣカードを搬送し、ＩＣカードに対してカード情報をエンコードし、さらに、ＩＣカードに対して印字処理を行ない、ＩＣカード（ＩＣ定期）を発行する。ＩＣカード（ＩＣ定期）に対してエンコードされるカード情報は、上記した券面印字に必要な項目（定期券情報）に加えて、定期券発行装置によりサイクリックに発番される券番号（定期券識別情報）、定期券発行装置別に付与されている号機番号、定期券を発行した日時を百分の一秒まで示す発行日時（定期券発行時間情報）等の情報を含む。制御コンピュータ２０は、カード情報を発行履歴情報として記憶する（図３参照）。なお、券番号は、上記した機器のリプレースにより、異なる定期券に対して重複して付与される可能性のある情報である。
【００２３】
続いて、図４に示すフローチャートを参照して廃札処理について説明する。定期券発行装置（図1参照）の電源が投入されてから、以下の手順で廃札処理が実行される。
【００２４】
係員用ＬＣＤ部１１は初期画面（図５参照）を表示する（Ｓ１）。オペレータは、操作盤１９に設けられた廃札ボタンを押下する（Ｓ２）。係員用ＬＣＤ部１１は廃札受付画面（図６参照）を表示する（Ｓ３）。オペレータは、廃札対象の定期券をＩＣ発券装置１６へ挿入する（Ｓ４）。
【００２５】
ＩＣ発券装置１６は、廃札対象の定期券から、券番号、号機番号、及び発行日時を読み出し（図３参照）（Ｓ５）、制御コンピュータ２０は、これら券番号、号機番号、及び発行日時を検索キーにして、発行履歴情報を検索する（Ｓ６）。つまり、制御コンピュータ２０は、廃札対象の定期券から読み取られた券番号、号機番号、及び発行日時を含む発行履歴情報を検索する。
【００２６】
上記検索の結果、該当する発行履歴情報が存在すれば（Ｓ７、ＹＥＳ）、つまり、廃札対象の定期券から読み取られた券番号、号機番号、及び発行日時を含む発行履歴情報が存在すれば、ＬＣＤタッチパネル１４ａ及び１４ｂにより、該当する発行履歴情報（発行履歴情報に含まれる定期券情報）が表示される（図７参照）（Ｓ８）。＜Ｓ５＞オペレータが、操作盤１９に設けられたスタートボタンを押下すると（Ｓ９）、制御コンピュータ２０は、該当する発行履歴情報を削除する（Ｓ１０）。さらに、ＩＣ発券装置１６は、廃札対象の定期券を廃札する（廃札対象の定期券を取り込む、廃札対象の定期券に対してパンチ処理する、廃札対象の定期券に対してマーキング処理するなど）。
【００２７】
上記検索の結果、該当する発行履歴情報が存在しなければ（Ｓ７、ＮＯ）、ＬＣＤタッチパネル１４ａ及び１４ｂにより、該当する発行履歴情報が無い旨のメッセージが表示される（図８）（Ｓ１１）。
【００２８】
上記説明では、ＩＣ定期から、券番号、号機番号、及び発行日時の少なくとも３つの情報を読み出し、これら読み出した３つの情報を検索キーにして発行履歴情報を検索するケースについて説明したが、例えば、ＩＣ定期から、券番号及び発行日時の少なくとも２つの情報を読み出し、これら２つの情報を検索キーにして発行履歴情報を検索するようにしてもよい。この場合、ＩＣ定期発行時に、ＩＣ定期に対する号機番号の記録をオプションにすることができる。また、上記説明では、ＩＣ発券装置１６が、ＩＣ定期から、券番号、号機番号、及び発行日時を読み出し、これら読み出した券番号、号機番号、及び発行日時を検索キーにして発行履歴情報を検索するケースについて説明したが、オペレータが、ＩＣ定期に印字された券番号、号機番号、及び発行日時を読み取って、オペレータが入力するようにしてもよい。
【００２９】
以上により、定期券発行装置Ａから定期券発行装置Ｂへリプレースされ、定期券発行装置Ａが券番号001の定期券Ａを発行済みで、定期券発行装置Ｂが券番号001の定期券Ｂを発行したとしても、つまり、定期券発行装置Ａ及び定期券発行装置Ｂにより同じ券番号001が発番されていたとして、定期券発行装置Ｂに対して券番号001に基づく廃札指示があっても、廃札処理は実行されず該当データ無しの表示がされる。よって、定期券発行装置Ｂで発行した定期券Ｂのデータを誤って削除するのを防止することができる。
【００３０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３１】
【図１】本発明の一実施形態に係る定期券発行装置（定期券処理装置）の外観図である。
【図２】図１に示す定期券発行装置の概略構成を示すブロック図である。
【図３】ＩＣ定期（定期券）の発行履歴情報の一例を示す図である。
【図４】廃札処理の一例を示すフローチャートである。
【図５】初期画面の一例を示す図である。
【図６】廃札受付画面の一例を示す図である。
【図７】検索された発行履歴情報の表示例を示す図である。
【図８】検索しようとした発行履歴情報が見つからなかったときの画面表示例を示す図である。
【符号の説明】
【００３２】
１１…係員用ＬＣＤ部、１２…客用表示機、１３…発券装置、１４ａ及び１４ｂ…ＬＣＤタッチパネル、１５…レシートプリンタ、１６…ＩＣ発券装置、１７…ジャーナルプリンタ、１８…申込用紙読取装置、１９…操作盤、２０…制御コンピュータ、２１…電源制御版、２３…画像処理装置、２４…発券用インターフェース、２５…ＦＤドライブ、２６…通信制御ボード
【図１】
0005127420.tif 000002
【図２】
0005127420.tif 000003
【図３】
0005127420.tif 000004
【図４】
0005127420.tif 000005
【図５】
0005127420.tif 000006
【図６】
0005127420.tif 000007
【図７】
0005127420.tif 000008
【図８】
0005127420.tif 000009